(57)【要約】【課題】  支持片に加わる荷重に対する剛性を高めて支持片の変形を確実に防止できるようにする。【解決手段】  立ち上がり部５に切り起こし形成する載置面１１の前端縁から下方に延びる突き当て片１２を形成する。突き当て片１２は、自由端となる先端側がシャーシフレーム１の面板部４と接触するか若しくは１ｍｍ程度の僅かな空隙をあけて載置面１１から一体形成される。これにより、回路基板３をねじ１５によって固定する載置面１１に上方側からの押圧力Ｆが加わっても面板部４と突き当て片１２とが当接し、支持片１０の変形が防止される。【選択図】      図６
2005276889.tif 000002
【特許請求の範囲】
【請求項１】
シャーシフレームに支持片を切り起こし形成し、この支持片に基板をねじ止め固定するようにした基板固定機能を備えたシャーシフレームにおいて、前記シャーシフレームが面板部と、この面板部の少なくとも一側縁から折曲した立ち上がり部を有し、この立ち上がり部に前記支持片を形成するとともに、該支持片に前記面板部とほぼ平行して前記基板のねじ孔を有する載置面を形成し、この載置面の少なくとも一側縁部から前記面板部に向かう突き当て片を折曲形成し、この突き当て片の先端部を前記面板部と接触又は僅かな空隙を有するように設けたことを特徴とする基板固定機能を備えたシャーシフレーム。
【請求項２】
前記載置面と前記突き当て片との角部を面取りする傾斜部を形成したことを特徴とする請求項１記載の基板固定機能を備えたシャーシフレーム。
【請求項３】
前記基板が端子ユニットを実装する回路基板であり、前記立ち上がり部に前記端子ユニットのソケット部を貫通させる孔部を形成し、この孔部から前記ソケット部を突出させた状態で前記載置面に前記回路基板を固定するように構成したことを特徴とする請求項１又は２記載の基板固定機能を備えたシャーシフレーム。
【発明の詳細な説明】
【技術分野】
【０００１】
本発明は、基板固定機能を備えたシャーシフレームに係わり、特に、シャーシフレームから切り起こした支持片に基板をねじ止めして固定するようにした基板固定機能を備えたシャーシフレームに関する。
【背景技術】
【０００２】
従来、各種電子機器には回路基板が組み込まれており、その回路基板を電子機器の筐体に固定する方法として、例えば、筐体内に回路基板を固定するためのシャーシフレームを固定するようにした基板の固定構造が広く知られている。このようなシャーシフレームは剛性を考慮して一般に金属製材料によって形成されているため、主に回路基板に形成する導電パターンとシャーシフレームとの短絡防止を図る目的で、回路基板をシャーシフレームに対して浮かせた状態で取り付けるようにしている。このようなシャーシフレームに対して回路基板を浮かせた状態で固定する技術として、例えば、特許文献１で示す機構部支持機構が公知である。これは、シャーシフレームの底板にＵ字状のスリットを有する垂直な立ち上がり部を切り起こし形成し、その立ち上がり部をスリットの中程から折り曲げることによって、スリットで囲まれた平面部と立ち上がり部とを有して全体として断面Ｔ字型の舌片を形成している。そして、この特許文献１で示された技術によれば、立ち上がり部の延長線上に位置して前記平面部にねじ孔が設けられており、そのねじ孔に回路基板をねじ止めすることによって回路基板をシャーシフレームに対して浮かせた状態で固定するように構成している。
【０００３】
【特許文献１】特開２００２−１８５１６４号公報
【発明の開示】
【発明が解決しようとする課題】
【０００４】
前記特許文献１は、立ち上がり部にスリットを形成し、そのスリットの中程から立ち上がり部を折り曲げることによって、スリットで囲まれた平面部の先端側を立ち上がり部を越えて立ち上がり部の外側に延出させ、かつ、その平面部に形成するねじ孔を立ち上がり部の延長線上に配置することによって、回路基板をねじ止めする際、立ち上がり部によって平面部に加わる鉛直荷重を支持して平面部の変形を防止することを目的とするものであるが、前述したように、立ち上がり部にはＵ字状のスリットが形成され、立ち上がり部を折曲した後、立ち上がり部にはスリット部分が開口することから、立ち上がり部の強度は、スリットを有していない一体構造の立ち上がり部に比べて低い。さらに、回路基板を支持する平面部を立ち上がり部の一点で支持する構造のため、平面部に強い押圧力が加わると、立ち上がり部が屈曲する危険がある。加えて、回路基板を支持する平面部においても、そのほぼ中央が立ち上がり部によって支持されているに過ぎず、平面部の両端部は自由端となっているため、組付け時などにおいて、平面部が他の構成部品と接触などした場合、変形する虞れがある。
【０００５】
本発明は、上記課題に鑑みてなされたもので、支持片に加わる荷重に対する剛性を高めて支持片の変形を確実に防止することができる基板固定機能を備えたシャーシフレームを提供することを目的とする。
【課題を解決するための手段】
【０００６】
本発明の請求項１の基板固定機能を備えたシャーシフレームは、シャーシフレームに支持片を切り起こし形成し、この支持片に基板をねじ止め固定するようにした基板固定機能を備えたシャーシフレームにおいて、前記シャーシフレームが面板部と、この面板部の少なくとも一側縁から折曲した立ち上がり部を有し、この立ち上がり部に前記支持片を形成するとともに、該支持片に前記面板部とほぼ平行して前記基板のねじ孔を有する載置面を形成し、この載置面の少なくとも一側縁部から前記面板部に向かう突き当て片を折曲形成し、この突き当て片の先端部を前記面板部と接触又は僅かな空隙を有するように設けたことを特徴とする。
【０００７】
請求項１の構成により、基板をドライバーなどの工具によってねじ止めする際、これを支持する載置面には、上方側からの押圧力が作用することになるが、載置面から面板部に向かって延びる突き当て片がシャーシフレームの面板部と接触若しくは僅かな空隙をおいて垂設されているため、基板を載置する載置面が突き当て片によって支持される。さらに、支持片の基端側に位置する載置面が立ち上がり部に一体的に連設され、支持片の自由端となる突き当て片の先端が面板部に当接することから、支持片の両端が立ち上がり部と面板部の二点で支持され、上方側からの荷重に対する剛性を高めることができる。
【０００８】
本発明の請求項２の基板固定機能を備えたシャーシフレームは、請求項１記載の基板固定機能を備えたシャーシフレームにおいて、前記載置面と前記突き当て片との角部を面取りする傾斜部を形成したことを特徴とする。
【０００９】
請求項２の構成により、基板を載置面に載置する際、基板の外端縁が傾斜面に沿って載置面へと誘導される。
【００１０】
本発明の請求項３の基板固定機能を備えたシャーシフレームは、請求項１又は２記載の基板固定機能を備えたシャーシフレームにおいて、前記基板が端子ユニットを実装する回路基板であり、前記立ち上がり部に前記端子ユニットのソケット部を貫通させる孔部を形成し、この孔部から前記ソケット部を突出させた状態で前記載置面に前記回路基板を固定するように構成したことを特徴とする。
【００１１】
請求項３の構成により、回路基板の固定時において、立ち上がり部に形成する孔部に回路基板に実装する端子ユニットのソケット部が貫通することから、立ち上がり部に対して回路基板が位置決めされた状態で回路基板が固定されることになる。このように、回路基板がシャーシフレームに位置決めされた状態で回路基板を固定する場合、回路基板をねじ止めする際、上方側からの押圧力によって回路基板を支持する載置面が下方側に押されて変形すると、端子ユニットと回路基板が離れ、接触不良や断線を誘発する原因となるが、回路基板が突き当て片によって支持され、載置面及び突き当て片が上方側から押されて折れ曲がるといった変形を防止し、回路基板に実装された端子ユニットの接触不良や断線を防止することが可能となる。
【発明の効果】
【００１２】
本発明の請求項１の基板固定機能を備えたシャーシフレームによれば、シャーシフレームに支持片を切り起こし形成し、この支持片に基板をねじ止め固定するようにした基板固定機能を備えたシャーシフレームにおいて、前記シャーシフレームが面板部と、この面板部の少なくとも一側縁から折曲した立ち上がり部を有し、この立ち上がり部に前記支持片を形成するとともに、該支持片に前記面板部とほぼ平行して前記基板のねじ孔を有する載置面を形成し、この載置面の少なくとも一側縁部から前記面板部に向かう突き当て片を折曲形成し、この突き当て片の先端部を前記面板部と接触又は僅かな空隙を有するように設けたものであるから、支持片によって載置面に加わる上方側からの押圧力による載置面及び支持片の変形を防止することができ、基板を安定した状態で固定することができる。
【００１３】
本発明の請求項２の基板固定機能を備えたシャーシフレームによれば、請求項１記載の基板固定機能を備えたシャーシフレームにおいて、傾斜部によって基板を載置面に載置する際、基板の引っ掛かりを防止することができるため、組付け時における回路基板の損傷を抑えることができる。
【００１４】
本発明の請求項３の基板固定機能を備えたシャーシフレームによれば、請求項１又は２記載の基板固定機能を備えたシャーシフレームにおいて、前記基板が端子ユニットを実装する回路基板であり、前記立ち上がり部に前記端子ユニットのソケット部を貫通させる孔部を形成し、この孔部から前記ソケット部を突出させた状態で前記載置面に前記回路基板を固定するように構成したものであるから、孔部によって位置決めされる端子ユニットの接触不良や断線事故を未然に防いで回路基板と端子ユニットとの電気的な接続を良好に保つことができる。
【発明を実施するための最良の形態】
【００１５】
以下、添付図面を参酌しながら、本発明を実施するための最良の形態としての実施例を説明する。
【００１６】
図１〜図６は本発明の第１実施例を示しており、同図において、１は金属製板材を折曲して形成されるシャーシフレームであり、図示しないテレビジョン受像機の筐体に組み込まれるものである。なお、本実施例においては、シャーシフレーム１に固定される基板としてＶＴＲ、ＤＶＤ、ＢＳチューナ、ＣＳチューナ、ゲーム等の周辺機器と接続される複数の端子ユニット２が半田付けされた回路基板３に適用した場合を例にして説明する。前記シャーシフレーム１は、底板となる面板部４の一辺から立設する立ち上がり部５を折曲して全体としてほぼＬ型に形成されている。さらに、この立ち上がり部５と直交する面板部４の外縁には、立ち上がり部５を補強する短片状の補強用立ち上がり部６が立設され、この補強用立ち上がり部６を前記立ち上がり部５の側縁に折曲した帯板状の折曲部７に重ね合わせ、これら補強用立ち上がり部６と折曲部７とをスポット溶接などによって一体的に接合している。
【００１７】
１０は前記立ち上がり部５に切り起こし形成した支持片であり、前記回路基板３を載置する載置面１１と、この載置面１１の前端縁から面板部４に向かって垂設した突き当て片１２と、これら突き当て片１２と載置面１１との間に位置して該突き当て片１２と載置面１１の角部を面取りする傾斜面１３とで構成されている。また、本実施例では、前記突き当て片１２は、その先端が面板部４と１ｍｍ程度の僅かな空隙をおいて折曲され、載置面１１に上方側からの押圧力が作用した際、突き当て片１２と面板部４とが接触するように構成されている。なお、突き当て片１２は、その先端を面板部４と空隙を形成することなく直接的に接触するようにして面板部４から垂設することも可能であり、要は、載置面１１に上方側からの外力が加わった際、突き当て片１２の先端が面板部４と接触する構造であればよい。また、支持片１０に固定される前記回路基板３の縁部にはねじ１５を通す挿通孔１６が形成され、この挿通孔１６に対応して前記載置面１１には前記ねじ１５を螺着するねじ孔１７が形成されている。ここで、支持片１０による回路基板３の固定位置は、回路基板３の各コーナー部分であれば最も好ましいが、少なくとも端子ユニット２側に位置する回路基板３の外縁寄りに単数若しくは複数設ければよい。なお、図中符号２１は、前記支持片１０を切り起こし形成することによって立ち上がり部５に形成される開口部である。
【００１８】
以上のように構成される本実施例において、回路基板３の固定手順について説明する。先ず、回路基板３に実装する端子ユニット２のソケット部２Ａを立ち上がり部５に形成する孔部２０に貫通させながら回路基板３を支持片１０の載置面１１に載置する。次に、回路基板３に形成する挿通孔１６と載置面１１に形成するねじ孔１７との位置を合わせた後、挿通孔１６に通したねじ１５をねじ孔１７に螺着することによって、回路基板３を固定する。この場合、回路基板３を支持する載置面１１には、図６に示すように、ねじ１５をドライバーなどの工具ａで回し締めする際、上方側からの押圧力Ｆが作用することになるが、載置面１１には、傾斜面１３を介して面板部４とごく僅かな空隙をおいて突き当て片１２が垂設されているため、上方側からの押圧力Ｆによって載置面１１が押されても、面板部４と突き当て片１２とが当接して載置面１１が突き当て片１２で支持される。これにより、載置面１１が上方側から押されても載置面１１が折れ曲がるといった変形を防止することができるとともに、突き当て片１２の座屈や屈曲を防止することができる。このような上方側からの荷重による載置面１１及び突き当て片１２の変形を防止することで、回路基板３を安定した状態で固定できる。特に、本実施例においては、回路基板３に外部の周辺機器と接続する端子ユニット２を実装し、その端子ユニット２のソケット部２Ａを立ち上がり部５に形成する孔部２０から外部に突出する構造であるから、載置面１１が下方側に押されて変形すると、孔部２０によって位置決めされた端子ユニット２と回路基板３との接続部分に無理な力が加わり、接触不良や断線といった電気的なトラブルを誘発する危険があるが、前述した通り、突き当て片１２によって載置面１３の下方への変形を防止することが可能であるから、回路基板３に実装する端子ユニット２の接触不良や断線といった電気的なトラブルを防止することができる。加えて、支持片１０の基端側に位置する載置面１１が支持片１０を切り起こし形成する立ち上がり部５に一体的に連設され、支持片１０の自由端となる突き当て片１２の先端が面板部４に当接し、さらに、支持片１０は孔、スリット、切欠等がない連続した一体構造の載置面１１、傾斜面１３、突き当て片１２によって構成されているため、前述した特許文献１のように立ち上がり部による一点で基板を支持し、かつ、立ち上がり部に開口部が形成された従来構造に比べ、支持片１０の剛性を高めることができる。また、載置面１１と突き当て片１２との角部を面取りする傾斜面１３を形成することにより、載置面１１に回路基板３を載置する際、回路基板３の外端縁が傾斜面１３に誘導され載置面１１へとスムーズに案内され、回路基板３の組付け作業を簡略化できるとともに、回路基板３と載置面１１との引っ掛かりを防止することで組付け時における回路基板３の損傷を抑えることもできる。
【００１９】
以上、本発明の第１実施例について詳述したが、本発明は、前記第１実施例に限定されるものではなく、本発明の要旨の範囲内で種々の変形実施が可能である。例えば、前記実施例では、支持片１０を立ち上がり部５に切り起こし形成するとともに、突き当て片１２を載置面１１の前端縁から折曲させた例を示したが、図７に示す本発明の第２実施例で示すように、支持片１０を補強用立ち上がり部６から切り起こし形成するとともに、突き当て片１２Ａを載置面１１の一側縁から折曲するようにしても上方側からの荷重による支持片１０の変形を効果的に防止することができる。さらに、図８に示すように、本発明の第３実施例で示すように、載置面１１の両側縁からそれぞれ対向する突き当て片１２Ａ，１２Ｂを形成するようすれば載置面１１を三点で支持することができ、より一層、支持片１０の剛性を高めることができる。また、前記実施例では、シャーシフレーム１に端子ユニット２を実装した回路基板３を固定した場合を示したが、必ずしもシャーシフレーム１に固定される対象は、回路基板に限るものではなく、取付基板など各種の基板に適用可能であるとともに、回路基板３の実装部品についても端子ユニット２に限定されるものはない。さらに、シャーシフレーム１に組付ける機器においてもテレビジョン受像機に限定されるものでなく、各種電子機器に広く適用可能である。
【図面の簡単な説明】
【００２０】
【図１】本発明の第１実施例を示すシャーシフレームと回路基板との分解斜視図である。
【図２】同上、背面側から見たシャーシフレームと回路基板との分解斜視図である。
【図３】同上、支持片を拡大した斜視図である。
【図４】同上、回路基板を固定した状態を示す斜視図である。
【図５】同上、回路基板の組付け直前の状態を示す断面図である。
【図６】同上、回路基板の組付状態を示す断面図である。
【図７】同上、本発明の第２実施例を示すシャーシフレームの斜視図である。
【図８】同上、本発明の第３実施例を示すシャーシフレームの斜視図である。
【符号の説明】
【００２１】
１  シャーシフレーム
２  端子ユニット
２Ａ  ソケット部
３  回路基板（基板）
４  面板部
５  立ち上がり部
６  補強用立ち上がり部
１０  支持片
１１  載置面
１２，１２Ａ，１２Ｂ  突き当て片
１３  傾斜面
１５  ねじ
１６  挿通孔
１７  ねじ孔
２０  孔部
【図１】
2005276889.tif 000003
【図２】
2005276889.tif 000004
【図３】
2005276889.tif 000005
【図４】
2005276889.tif 000006
【図５】
2005276889.tif 000007
【図６】
2005276889.tif 000008
【図７】
2005276889.tif 000009
【図８】
2005276889.tif 000010